(57)【要約】【課題】安価で色合わせ精度の高い画像出力装置間の出力色を調整する色調整方法を提供する。【解決手段】カラープルーフ出力装置４で出力された色票１００から参照テーブル３４を作成し、印刷機６で出力された色票Ｆをカラー濃度計７で測定して複数種類のＲＧＢ濃度、ビジュアル濃度を求め、色テーブル生成部３２によりＬ＊ａ＊ｂ＊値に変換して色テーブル３３を作成する。カラーチャンネル生成部３５は色テーブル３３と参照テーブル３４とからカラーチャンネルテーブル３６を作成する。カラープルーフ出力装置４はカラーチャンネルテーブル３６を基に出力物を出力する。カラー濃度計７で出力物の複数種類のＲＧＢ濃度、ビジュアル濃度を測定し、これを基に色テーブル３３を書き換え補正し、新たなカラーチャンネルテーブル３６を作成してカラープルーフ出力装置４に送りカラープルーフを出力する。【選択図】      図２
2004357088.tif 000002
【特許請求の範囲】
【請求項１】
複数の基本色の出力強度が組み合わされてなる色票を複数の画像出力装置で出力し、出力された前記色票の色を測定した結果に基づいて前記複数の画像出力装置の出力色を合わせるように調整する色調整方法において、
前記複数の画像出力装置の内、特定の画像出力装置により出力された前記色票に対して、分光特性が異なる複数種類のＲ（赤）、Ｇ（グリーン）、Ｂ（ブルー）の各濃度の測定を行う第１の測定段階と、
前記第１の測定段階で測定された前記複数種類のＲ、Ｇ、Ｂの各濃度を所定の表色系における値に変換する変換段階と、
を含み、
前記変換段階によって求められた前記所定の表色系における値に基づいて、前記複数の画像出力装置の出力色を合わせるように調整することを特徴とする色調整方法。
【請求項２】
前記特定の画像出力装置により出力された前記色票の白黒の濃度を示すビジュアル濃度の測定を行う第２の測定段階を更に含み、
前記変換段階では、前記第１の測定段階で測定された前記複数種類のＲ、Ｇ、Ｂの各濃度と、前記第２の測定段階で測定された前記ビジュアル濃度とを、前記所定の表色系における値に変換する、
ことを特徴とする請求項１記載の色調整方法。
【請求項３】
前記複数種類のＲ、Ｇ、Ｂの各濃度には、ＩＳＯ規格（ＩＳＯ５−３  Ｐｈｏｔｏｇｒａｐｈｙ−Ｄｅｎｓｉｔｙ  ｍｅａｓｕｒｅｍｅｎｔｓ−Ｐａｒｔ３：Ｓｐｅｃｔｒａｌ  ｃｏｎｄｉｔｉｏｎｓ）におけるＳｔａｔｕｓ−ＴのＲ、Ｇ、Ｂの各濃度およびＳｔａｔｕｓ−ＡのＲ、Ｇ、Ｂの各濃度の少なくともいずれかが含まれていることを特徴とする請求項１または請求項２に記載の色調整方法。
【請求項４】
前記所定の表色系は、ＸＹＺ表色系であり、
前記変換段階は、
前記第１および第２の測定段階で測定された前記Ｒ、Ｇ、Ｂの各濃度および前記ビジュアル濃度から反射率の値を求める段階と、
これらの反射率の各値に、所定の係数を有するマトリクスによる変換を施して、前記ＸＹＺ表色系における値を求める段階と、
を含んでいることを特徴とする請求項２または請求項３に記載の色調整方法。
【請求項５】
前記所定の表色系は、Ｌ＊ａ＊ｂ＊表色系であり、
前記変換段階は、
前記第１および第２の測定段階で測定された前記Ｒ、Ｇ、Ｂの各濃度および前記ビジュアル濃度から反射率の値を求める段階と、
これらの反射率の各値に、所定の係数を有するマトリクスによる変換を施して、前記ＸＹＺ表色系における値を求める段階と、
このＸＹＺ表色系における値を前記Ｌ＊ａ＊ｂ＊表色系における値に変換する段階と
を含んでいることを特徴とする請求項２または請求項３に記載の色調整方法。
【請求項６】
複数の基本色の出力強度が組み合わされてなる色票を、印刷機およびこの印刷機で出力される印刷物の校正用カラープルーフを出力するカラープルーフ出力装置で出力し、出力された前記色票の色を測定した結果に基づいて前記カラープルーフ出力装置の出力色を調整する色調整方法において、
前記カラープルーフ出力装置で出力された前記色票の色を測定した結果に基づいて、前記出力強度の組み合わせに対応する前記カラープルーフ出力装置の出力色の前記所定の表色系における値を含んだ第１の参照テーブルを作成する段階と、
前記印刷機によって出力された前記色票に対して、分光特性が異なる複数種類のＲ（赤）、Ｇ（グリーン）、Ｂ（ブルー）の各濃度の測定を行う第１の測定段階と、
前記第１の測定段階で測定された前記複数種類のＲ、Ｇ、Ｂの各濃度を所定の表色系における値に変換する第１の変換段階と、
前記出力強度の組み合わせに対応する前記印刷機の出力色を、前記第１の変換段階で求めた前記所定の表色系における値として定義した第２の参照テーブルを生成する段階と、
を含み、
前記第１および第２の参照テーブルに基づいて前記カラープルーフ出力装置の出力色を調整することを特徴とする色調整方法。
【請求項７】
前記印刷装置により出力された前記色票の白黒の濃度を示すビジュアル濃度の測定を行う第２の測定段階を更に含み、
前記第１の変換段階では、前記第１の測定段階で測定された前記複数種類のＲ、Ｇ、Ｂの各濃度と、前記第２の測定段階で測定された前記ビジュアル濃度とを前記所定の表色系における値に変換する、
ことを特徴とする請求項６記載の色調整方法。
【請求項８】
前記第１および第２の参照テーブルに基づく前記カラープルーフ出力装置の出力色の前記複数種類のＲ、Ｇ、Ｂの各濃度を測定する第３の測定段階と、
前記第１および第２の参照テーブルに基づく前記カラープルーフ出力装置の出力色のビジュアル濃度を測定する第４の測定段階と、
前記第３および前記第４の測定段階で測定された前記複数種類のＲ、Ｇ、Ｂの各濃度および前記ビジュアル濃度を、前記所定の表色系における値に変換する第２の変換段階と、
前記第２の変換段階で求めた前記所定の表色系の値を用いて前記第２の参照テーブルを補正する段階と、
を更に含み、
前記第１の参照テーブルと前記補正された前記第２の参照テーブルとに基づいて前記カラープルーフ出力装置の出力色を調整することを特徴とする請求項７記載の色調整方法。
【請求項９】
複数の基本色の出力強度が組み合わされてなる色票を複数の画像出力装置で出力し、出力された前記色票の色を測定した結果に基づいて前記複数の画像出力装置の出力色を合わせるように調整する色調整方法を実行させるためのプログラムであって、
前記複数の画像出力装置の内、特定の画像出力装置により出力された前記色票の分光特性が異なる複数種類のＲ（赤）、Ｇ（グリーン）、Ｂ（ブルー）の各濃度の測定値と白黒の濃度を示すビジュアル濃度の測定値とを、所定の表色系における値に変換する変換段階を実行することを特徴とするプログラム。
【請求項１０】
複数の基本色の出力強度が組み合わされてなる色票を複数の画像出力装置で出力し、出力された前記色票の色を測定した結果に基づいて前記複数の画像出力装置の出力色を合わせるように調整する色調整方法を実行させるためのプログラムを記録したコンピュータ読み取り可能な情報記録媒体であって、
請求項９に記載のプログラムを記録したことを特徴とするコンピュータ読み取り可能な情報記録媒体。
【発明の詳細な説明】
【０００１】
【発明の属する技術分野】
本発明は、複数の画像出力装置間の出力色を調整するための色調整方法、その方法を実行させるプログラムおよびそのプログラムを記録したコンピュータ読み取り可能な情報記録媒体に関する。
【０００２】
【従来の技術】
近年、ＤＴＰ（Ｄｅｓｋ  Ｔｏｐ  Ｐｕｂｌｉｓｈｉｎｇ）等のデジタル画像編集技術の普及にともない、スキャナから入力した画像をコンピュータのソフトウエア上で編集し、ページ面付けを行う作業が一般に用いられるようになり、フルデジタルでの編集も珍しくなくなってきている。
【０００３】
このような作業工程では、フィルムにページ編集済みの画像データを直接出力するイメージセッター出力や、印刷版に直接画像記録を行うＣＴＰ（Ｃｏｍｐｕｔｅｒ  Ｔｏ  Ｐｌａｔｅ）出力、さらには、印刷機のシリンダー上に巻かれた印刷版に直接画像記録を行うＣＴＣ（Ｃｏｍｐｕｔｅｒ  Ｔｏ  Ｃｙｌｉｎｄｅｒ）などを行って、更なる作業効率の向上が図られている。
【０００４】
この場合、校正確認を行うためにのみフィルム出力や印刷版出力を実行すると、フィルムや印刷版のムダを生じるとともに作業効率が低下してしまうという問題があった。
【０００５】
そのため、ＤＤＣＰ（Ｄｉｒｅｃｔ  Ｄｉｇｉｔａｌ  Ｃｏｒｏｒ  Ｐｒｏｏｆ）ないしはＤＣＰ（Ｄｉｇｉｔａｌ  Ｃｏｒｏｒ  Ｐｒｏｏｆ）と呼ばれる直接カラー画像出力を行うシステムを用いて、特にフルデジタルの画像作成および編集における校正確認作業を行うようになってきた。
【０００６】
このＤＤＣＰでは、コンピュータ上で加工されたデジタル画像データをイメージセッターなどで製版用フィルムに記録する前や、ＣＴＰで直接印刷版を作成する前、あるいは、ＣＴＣで印刷機のシリンダー上に巻かれた印刷版に直接画像記録を行う前に、当該デジタル画像データに基づく画像を再現するカラープルーフを作成して、その絵柄、色調、文章文字等の確認を行うことができる。
【０００７】
このようなカラープルーフは、Ｃ（シアン）版、Ｍ（マゼンダ）版、Ｙ（イエロー）版、およびＢＫ（黒または墨色）版にそれぞれ分解された各色分解網原稿の網点画像データに基づき、銀塩カラー感光材料に例えばＲ（赤）、Ｇ（グリーン）、Ｂ（ブルー）等の波長の異なる複数の光の組み合わせからなる光点を露光して基本色Ｃ、Ｍ、Ｙのドットを発色させることにより出力されるのが一般的である。
【０００８】
下記の特許文献１には、このようなカラープルーフで再現される色を調整して目標である印刷物の色に近づけるための色調整方法の一例が開示されている。この色調整方法は、印刷機およびカラープルーフ出力装置により出力される色票の色を測定した結果から生成されるテーブルに基づいて行われる。このようなテーブルとして、カラープルーフ出力装置で出力した色票の測定結果から生成される第１の参照テーブルと、印刷機で出力した色票の測定結果から生成される第２の参照テーブルとが含まれている。なお、色票の測定には測色計が用いられ、Ｌ＊ａ＊ｂ＊表色系における値Ｌ＊、ａ＊、ｂ＊を取得するようになっている。
【０００９】
また、特許文献１に記載の方法では、第１および第２の参照テーブルに基づいてカラープルーフ出力装置で出力を行い、測色計を用いてその出力物の色を測定し、その結果を基に第２の参照テーブルを補正することで再現精度を高めるようになっている。
【００１０】
【特許文献１】
特願２００３−０６４６２９
【００１１】
【発明が解決しようとする課題】
ところが、特許文献１に記載の色調整方法では、第１の参照テーブルを生成するための測定は、印刷対象や印刷機の種類等に応じてその都度行う必要がないので、測色計を用いて測定を行うことに支障は伴わないが、第２の参照テーブルを生成するための測定や出力物の測定は、印刷機毎に、更には色調整処理の度毎に行う必要があるため測色計を常に設けておく必要性がある。しかし、測色計は高価なものであることを考慮すると、そのような必要性を満たすことは困難な場合がある。
【００１２】
また、測色計によってＬ＊ａ＊ｂ＊を求める代わりに、安価な濃度計を用いてＲＧＢにおける値を求めて参照テーブルを生成する方法もあるが、測定精度上の問題が発生してしまう。つまり、Ｌ＊ａ＊ｂ＊表色系は、人間の眼の感度に相当するものとしてＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ；国際照明委員会）で定められたｘ−ｂａｒ，ｙ−ｂａｒ、ｚ−ｂａｒの分光特性に基づくものであるであるため、どのような測定対象についても人間が認識する色の見え方に対応して測定できる。よって、例えば印刷機とカラープルーフ出力装置との間の色合わせのように、ＣＭＹＫ色材の分光吸収特性が異なる画像出力装置間での色合わせについても問題はない。一方、ＲＧＢ濃度は、人間の眼の感度特性とは異なる分光特性に基づいて測定されるため、分光吸収特性の異なる装置間の色合わせに用いると測定差が生じてしまい、高精度な色合わせを行うことができなかった。
【００１３】
また、ＲＧＢ濃度から反射率を求め、マトリクス変換によりＸＹＺ表色系における値に変換し、更にＸＹＺ→Ｌ＊ａ＊ｂ＊の変換式を用いれば、ＲＧＢ濃度からＬ＊ａ＊ｂ＊値を求めることができるが、ＲＧＢ濃度の分光吸収特性と、ＸＹＺ表色系のｘ−ｂａｒ，ｙ−ｂａｒ、ｚ−ｂａｒとは異なるものであるから、変換精度が担保されず、結局、色合わせの精度も低下してしまう。
【００１４】
本発明は、以上のような事情に鑑みてなされたもので、安価に導入可能であるとともに色合わせを高精度で行うことが可能な複数の画像出力装置間の出力色を調整するための色調整方法、その方法を実行させるプログラムおよびそのプログラムを記録したコンピュータ読み取り可能な情報記録媒体を提供することを目的とする。
【００１５】
【課題を解決するための手段】
上記目的を達成するために、請求項１に記載の発明は、複数の基本色の出力強度が組み合わされてなる色票を複数の画像出力装置で出力し、出力された前記色票の色を測定した結果に基づいて前記複数の画像出力装置の出力色を合わせるように調整する色調整方法において、前記複数の画像出力装置の内、特定の画像出力装置により出力された前記色票に対して、分光特性が異なる複数種類のＲ（赤）、Ｇ（グリーン）、Ｂ（ブルー）の各濃度の測定を行う第１の測定段階と、前記第１の測定段階で測定された前記複数種類のＲ、Ｇ、Ｂの各濃度を所定の表色系における値に変換する変換段階と、を含み、前記変換段階によって求められた前記所定の表色系における値に基づいて、前記複数の画像出力装置の出力色を合わせるように調整することを特徴とする。
【００１６】
また、上記目的を達成するために、請求項２に記載の発明は、請求項１記載の色調整方法であって、前記特定の画像出力装置により出力された前記色票の白黒の濃度を示すビジュアル濃度の測定を行う第２の測定段階を更に含み、前記変換段階では、前記第１の測定段階で測定された前記複数種類のＲ、Ｇ、Ｂの各濃度と、前記第２の測定段階で測定された前記ビジュアル濃度とを、前記所定の表色系における値に変換する、ことを特徴とする。
【００１７】
また、上記目的を達成するために、請求項３に記載の発明は、請求項１または請求項２に記載の色調整方法であって、前記複数種類のＲ、Ｇ、Ｂの各濃度には、ＩＳＯ規格（ＩＳＯ  ５−３  Ｐｈｏｔｏｇｒａｐｈｙ−Ｄｅｎｓｉｔｙ  ｍｅａｓｕｒｅｍｅｎｔｓ−Ｐａｒｔ３：Ｓｐｅｃｔｒａｌ  ｃｏｎｄｉｔｉｏｎｓ）におけるＳｔａｔｕｓ−ＴのＲ、Ｇ、Ｂの各濃度およびＳｔａｔｕｓ−ＡのＲ、Ｇ、Ｂの各濃度の少なくともいずれかが含まれていることを特徴とする。
【００１８】
また、上記目的を達成するために、請求項４に記載の発明は、請求項２または請求項３に記載の色調整方法であって、前記所定の表色系は、ＸＹＺ表色系であり、前記変換段階は、前記第１および第２の測定段階で測定された前記Ｒ、Ｇ、Ｂの各濃度および前記ビジュアル濃度から反射率の値を求める段階と、これらの反射率の各値に、所定の係数を有するマトリクスによる変換を施して、前記ＸＹＺ表色系における値を求める段階と、を含んでいることを特徴とする。
【００１９】
また、上記目的を達成するために、請求項５に記載の発明は、請求項２または請求項３に記載の色調整方法であって、前記所定の表色系は、Ｌ＊ａ＊ｂ＊表色系であり、前記変換段階は、前記第１および第２の測定段階で測定された前記Ｒ、Ｇ、Ｂの各濃度および前記ビジュアル濃度から反射率の値を求める段階と、これらの反射率の各値に、所定の係数を有するマトリクスによる変換を施して、前記ＸＹＺ表色系における値を求める段階と、このＸＹＺ表色系における値を前記Ｌ＊ａ＊ｂ＊表色系における値に変換する段階とを含んでいることを特徴とする。
【００２０】
また、上記目的を達成するために、請求項６に記載の発明は、複数の基本色の出力強度が組み合わされてなる色票を、印刷機およびこの印刷機で出力される印刷物の校正用カラープルーフを出力するカラープルーフ出力装置で出力し、出力された前記色票の色を測定した結果に基づいて前記カラープルーフ出力装置の出力色を調整する色調整方法において、前記カラープルーフ出力装置で出力された前記色票の色を測定した結果に基づいて、前記出力強度の組み合わせに対応する前記カラープルーフ出力装置の出力色の前記所定の表色系における値を含んだ第１の参照テーブルを作成する段階と、前記印刷機によって出力された前記色票に対して、分光特性が異なる複数種類のＲ（赤）、Ｇ（グリーン）、Ｂ（ブルー）の各濃度の測定を行う第１の測定段階と、前記第１の測定段階で測定された前記複数種類のＲ、Ｇ、Ｂの各濃度を所定の表色系における値に変換する第１の変換段階と、前記出力強度の組み合わせに対応する前記印刷機の出力色を、前記第１の変換段階で求めた前記所定の表色系における値として定義した第２の参照テーブルを生成する段階と、を含み、前記第１および第２の参照テーブルに基づいて前記カラープルーフ出力装置の出力色を調整することを特徴とする。
【００２１】
また、上記目的を達成するために、請求項７に記載の発明は、請求項６記載の色調整方法であって、前記印刷装置により出力された前記色票の白黒の濃度を示すビジュアル濃度の測定を行う第２の測定段階を更に含み、前記第１の変換段階では、前記第１の測定段階で測定された前記複数種類のＲ、Ｇ、Ｂの各濃度と、前記第２の測定段階で測定された前記ビジュアル濃度とを前記所定の表色系における値に変換する、ことを特徴とする。
【００２２】
また、上記目的を達成するために、請求項８に記載の発明は、請求項７記載の色調整方法であって、前記第１および第２の参照テーブルに基づく前記カラープルーフ出力装置の出力色の前記複数種類のＲ、Ｇ、Ｂの各濃度を測定する第３の測定段階と、前記第１および第２の参照テーブルに基づく前記カラープルーフ出力装置の出力色のビジュアル濃度を測定する第４の測定段階と、前記第３および前記第４の測定段階で測定された前記複数種類のＲ、Ｇ、Ｂの各濃度および前記ビジュアル濃度を、前記所定の表色系における値に変換する第２の変換段階と、前記第２の変換段階で求めた前記所定の表色系の値を用いて前記第２の参照テーブルを補正する段階と、を更に含み、前記第１の参照テーブルと前記補正された前記第２の参照テーブルとに基づいて前記カラープルーフ出力装置の出力色を調整することを特徴とする。
【００２３】
また、上記目的を達成するために、請求項９に記載の発明は、複数の基本色の出力強度が組み合わされてなる色票を複数の画像出力装置で出力し、出力された前記色票の色を測定した結果に基づいて前記複数の画像出力装置の出力色を合わせるように調整する色調整方法を実行させるためのプログラムであって、前記複数の画像出力装置の内、特定の画像出力装置により出力された前記色票の分光特性が異なる複数種類のＲ（赤）、Ｇ（グリーン）、Ｂ（ブルー）の各濃度の測定値と白黒の濃度を示すビジュアル濃度の測定値とを、所定の表色系における値に変換する変換段階を実行することを特徴とする。
【００２４】
また、上記目的を達成するために、請求項１０に記載の発明は、複数の基本色の出力強度が組み合わされてなる色票を複数の画像出力装置で出力し、出力された前記色票の色を測定した結果に基づいて前記複数の画像出力装置の出力色を合わせるように調整する色調整方法を実行させるためのプログラムを記録したコンピュータ読み取り可能な情報記録媒体であって、請求項９に記載のプログラムを記録したことを特徴とする。
【００２５】
【発明の実施の形態】
以下、本発明に係る色調整方法を実行することが可能な画像出力システムの実施の形態の一例について、図面に基づいて具体的に説明する。この画像出力システムは、ＣＴＰ出力装置（後述）によって刷版を作成する前に、この刷版が編集ミスや画像データの誤りを含んでいないかどうか確認する校正作業に用いられるカラープルーフを好適に出力するための色調整を行うことができる。
【００２６】
［システムの全体構成］
図１は、このような画像出力システムの概略構成の一例を示すブロック図である。同図に示すように、当該画像出力システムは、印刷物の画像編集を行う上流端末である画像編集端末１Ａ〜１Ｃと、ＲＩＰ（Ｒａｓｔｅｒ  Ｉｍａｇｅ  Ｐｒｏｃｅｓｓｏｒ）２と、印刷物のカラープルーフを出力するための各種の画像変換処理を行うことが可能な画像変換装置３と、カラープルーフや色票１００を出力するためのカラープルーフ出力装置４とを含んで構成されている。画像編集端末１Ａ〜１Ｃ、ＲＩＰ２および画像変換装置３は、ＬＡＮやインターネット等のネットワークＮを介してそれぞれ通信可能に接続されている。
【００２７】
この画像出力システムには、更に、ＲＩＰ２から送信されるデータを直接に刷版に結像して出力することが可能なＣＴＰ出力装置５が設けられている。このＣＴＰ出力装置５により出力された刷版Ｐを印刷機６に装着して印刷処理を行うことにより、（最終的な）印刷物Ｆが出力される。ここで、印刷機６によって色票（同じく符号１００を用いる）を出力することが可能である。
【００２８】
また、カラープルーフ出力装置４や印刷機６によって出力された出力物（特に色票１００、Ｆ）の分光特性が異なる複数種類のＲ（赤）、Ｇ（グリーン）、Ｂ（ブルー）の各濃度（ＲＧＢ濃度と称する）、および、白黒の濃度を示すビジュアル濃度（以下、Ｖ濃度と略称することもある）を測定することが可能なカラー濃度計７が設けられている。なお、図１に示す構成では、単独のカラー濃度計７が設けられているが、カラープルーフ出力装置４や印刷機６に内蔵されていてもよい。また、カラー濃度計７による測定は、手動で行ってもよく（特に単独に設けられている場合）、また自動的に行われるようにしてもよい（特に上記の内蔵されている場合）。
【００２９】
カラー濃度計７は、分光特性の異なる複数のＲＧＢ濃度を測定できるよう構成されている。カラー濃度計７により測定可能なＲＧＢ濃度としては、ＩＳＯ規格（ＩＳＯ  ５−３  Ｐｈｏｔｏｇｒａｐｈｙ−Ｄｅｎｓｉｔｙ  ｍｅａｓｕｒｅｍｅｎｔｓ−Ｐａｒｔ３：Ｓｐｅｃｔｒａｌ  ｃｏｎｄｉｔｉｏｎｓ）のＳｔａｔｕｓ−Ｔの分光フィルタ特性によるＲＧＢ濃度値やＳｔａｔｕｓ−Ａの分光フィルタ特性によるＲＧＢ濃度などが含まれているものとする。Ｓｔａｔｕｓ−ＴとＳｔａｔｕｓ−Ａとは濃度測定に用いるＲＧＢの分光フィルタのピーク波長や波長幅においてそれぞれ異なる特性を有している。もちろん、その他の分光特性を有するＲＧＢ濃度を測定できるよう構成してもよい。また、複数種類のＲＧＢ濃度を選択的に組み合わせて測定できるようにしてもよい。
【００３０】
〔画像編集端末の構成〕
画像編集端末１Ａ〜１Ｃは、ＤＴＰの手法を用いて、印刷物の画像データを複数の色版情報に分割して編集するためのアプリケーションソフトウェアがインストールされたコンピュータ端末からなり、コンピュータ本体、キーボードおよびモニタ等に加えて、イメージスキャナ等の画像入力機器などを備えている（図示は省略する）。このような画像編集端末は、通常、複数台が設けられている（本実施形態では１Ａ〜１Ｃの３台設けられているが、もちろん１台のみの構成や所望の台数からなる構成としてよい）。各画像編集端末１Ａ〜１Ｃにより編集された画像データは、ネットワークＮを通じてＲＩＰ２に送信されるようになっているのが通常だが、ＲＩＰ２および画像変換装置３の双方に送信されるようにしてもよい。
【００３１】
〔ＲＩＰの構成〕
ＲＩＰ２は、画像編集端末１Ａ〜１Ｃを用いて編集された印刷物の電子製版の基となる画像データをネットワークＮを通じて受信し、文字やイメージデータを走査しながらビットマップに変換を行うプロセッサとして機能するサーバ等から構成され、ラスタイメージフォーマットのＣ（シアン）、Ｍ（マゼンタ）、Ｙ（イエロー）およびＫ（ブラック）の各基本色の網点画像データを面順次に生成するようになっている。
【００３２】
〔画像変換装置の構成〕
画像変換装置３は、所定の動作プログラムが組み込まれた情報処理装置で、通常のようにコンピュータ本体、キーボード、モニタ等から構成されている。この画像変換装置３は、ＲＩＰ２が生成した網点画像データをネットワークＮを介して取得し、このＲＩＰフォーマットの網点画像データを、カラープルーフ出力装置４による露光用のフォーマットに変換するための構成を備えている。画像変換装置３は、また、この画像変換装置３は、後述のような色調整処理を実行するよう構成されている。
【００３３】
以下、図２および図３を参照して、この画像変換装置３について詳しく説明する。ここで、図２は、画像変換装置３の動作を説明するための機能ブロック図であり、図３は、このような動作を実行するための画像変換装置３のハードウェア構成を示すブロック図である。
【００３４】
（画像変換装置の機能的構成）
図２に示すように、画像変換装置３は、カラー濃度計７による測定結果の入力処理を行うための入力処理部３１と、入力された上記測定結果を基に色テーブル３３を生成するための色テーブル生成部３２と、色テーブル３３および参照テーブル３４を基にカラーチャンネルテーブル３６を生成するためのカラーチャンネル生成部３５と、生成されたカラーチャンネルテーブル３６をカラープルーフ出力装置４に送信するための処理を行う出力処理部３７とを含んで構成されている。
【００３５】
色テーブル生成部３２は、濃度→反射率変換部３２Ａと、マトリクス変換部３２Ｂと、ＸＹＺ→Ｌ＊ａ＊ｂ＊変換部３２Ｃと、テーブル生成部３２Ｄとを含んで構成されている。
【００３６】
濃度→反射率変換部３２Ａは、カラー濃度計７により測定された複数種類（ＩＳＯ規格のＳｔａｔｕｓ−ＴおよびＳｔａｔｕｓ−Ａの分光フィルタ特性による濃度値とするとする）のＲＧＢ濃度およびビジュアル濃度を反射率の値に変換するための処理を行うもので、次のような変換式を用いている。なお、Ｒ、Ｇ、ＢのＳｔａｔｕｓ−Ｔの濃度値とＶ濃度の値をそれぞれＤｒ、Ｄｇ、Ｄｂ、Ｄｖと表し、対応する反射率をＲｒ、Ｒｇ、Ｒｂ、Ｒｖと表すこととする。また、Ｓｔａｔｕｓ−ＡのＲＧＢ濃度値をそれぞれＤａｒ、Ｄａｇ、Ｄａｂと表し、対応する反射率をＲａｒ、Ｒａｇ、Ｒａｂと表すこととする。また、ｘ＾ｙは、ｘのｙ乗を示すこととする。
【００３７】
【式１】
Ｒｒ＝１０＾（−Ｄｒ）
Ｒｇ＝１０＾（−Ｄｇ）
Ｒｂ＝１０＾（−Ｄｂ）
Ｒｖ＝１０＾（−Ｄｖ）
Ｒａｒ＝１０＾（−Ｄａｒ）
Ｒａｇ＝１０＾（−Ｄａｇ）
Ｒａｂ＝１０＾（−Ｄａｂ）
【００３８】
また、マトリクス変換部３２Ｂは、濃度→反射率変換部３２Ａにより求められた７つの反射率の値（ベクトル）を所定のマトリクスＭによって変換し、ＸＹＺ表色系における値Ｘｄ（＝Ｘ／Ｘ０）、Ｙｄ（＝Ｙ／Ｙ０）、Ｚｄ（＝Ｚ／Ｚ０）を求めるための処理を行う。ここで、反射率の値に作用されるマトリクスＭの各係数Ｍ（ｉ，ｊ）は、多数の色（例えば２００程度）を含む印刷物の色票について、あらかじめＲＧＢ濃度およびビジュアル濃度を実測し、その実測値から最小二乗法を用いて算出することができる。もちろん、その他の方法で適宜算出することができる。このようなマトリクス変換部３２Ｂによる処理は、次式のように表現される。
【００３９】
【式２】
2004357088.tif 000003
【００４０】
また、ＸＹＺ→Ｌ＊ａ＊ｂ＊変換部３２Ｃは、マトリクス変換部３２Ｂにより求められたＸＹＺ表色系における値Ｘｄ、Ｙｄ、Ｚｄを、Ｌ＊ａ＊ｂ＊表色系における値Ｌ＊、ａ＊、ｂ＊に変換するための演算処理を行うものである。この演算処理は、公知の変換式を用いて行われる。
【００４１】
また、テーブル生成部３２Ｄは、ＸＹＺ→Ｌ＊ａ＊ｂ＊変換部３２Ｃによって求められたＬ＊ａ＊ｂ＊表色系における値を用いて、所定のフォーマットからなる色テーブル３３を生成するよう作用する。
【００４２】
なお、ＸＹＺ→Ｌ＊ａ＊ｂ＊変換部３２Ｃを介さずに、マトリクス変換部３２Ｂによって求められたＸＹＺ表色系における値を用いて色テーブル３３を生成するように構成することもできる。また、Ｌ＊ａ＊ｂ＊表色系における値を用いた色テーブルと、ＸＹＺ表色系における値を用いた色テーブルとを切換生成できるように構成してもよい。
【００４３】
このような工程で生成される色テーブル３３は、本発明にいう第２の参照テーブルを構成するもので、印刷機６の出力特性を定義したテーブルである。即ち、色テーブル３３は、基本色Ｃ、Ｍ、Ｙ、ＢＫの出力強度の組み合わせと、Ｌ＊ａ＊ｂ＊表色系におけるＬ＊、ａ＊、ｂ＊の値（Ｌ＊ａ＊ｂ＊値と略記する）との関係を定義したものとして構成されている。
【００４４】
図４には、このような色テーブル３３の一例が示されている。同図によれば、色テーブル３３には、印刷機６により出力されたＣＭＹＫ１／２／３／４次色および白地（印刷用紙の地の色）に対応するＬ＊ａ＊ｂ＊値が定義されている。また、特色のＬ＊ａ＊ｂ＊値およびＣＭＹＫ１／２／３／４次色の各々に特色を刷り重ねた色のＬ＊ａ＊ｂ＊値も定義されているが、この値は特色の種類に応じて異なるため図示は省略した。なお、特色を出力しない場合は、特色の関わる部分は生成されない。
【００４５】
なお、ここでいうＣＭＹＫ１／２／３／４次色とは、基本色ＣＭＹＫからなる１次色、２次色、３次色および４次色を意味し、１次色とはＣＭＹＫのうち１つの色を、２次色とはＣＭＹＫのうち２つを組み合わせた色を、３次色とはＣＭＹＫのうち３つを組み合わせた色を、４次色とはＣＭＹＫの４つを組み合わせた色をそれぞれ意味することとする。したがって、「ＸＹ」で基本色ＸとＹとを組み合わせた色を示すこととすると、ＣＭＹＫ１／２／３／４次色は、Ｃ、Ｍ、Ｙ、Ｋ、Ｒ（ＭＹ）、Ｇ（ＣＹ）、Ｂ（ＣＭ）、ＫＣ、ＫＭ、ＫＹ、ＣＭＹ、ＫＲ（ＫＭＹ）、ＫＧ（ＫＣＹ）、ＫＢ（ＫＣＭ）、ＫＣＭＹの１５色となり、白地Ｗを加えて１６色を基本色に関する色として考慮する。
【００４６】
参照テーブル３４は、本発明にいう第１の参照テーブルを構成するもので、カラープルーフ出力装置４の出力特性を定義したテーブルである。即ち、Ｌ＊ａ＊ｂ＊値と基本色Ｃ、Ｍ、Ｙの出力強度の組み合わせとの関係を定義したものである。
【００４７】
参照テーブル３４は、次のようにして作成される。まず、カラープルーフ出力装置４の基本色の出力強度を最小値０から最大値までの間で等分割するとともに、Ｃ、Ｍ、Ｙそれぞれの出力強度を組み合わせたときのカラー画像が複数配置された色票を出力する。そして、その複数のカラー画像のＬ＊ａ＊ｂ＊値を図示しない測色計で測定する。更に、上記Ｃ、Ｍ、Ｙそれぞれの出力強度の組み合わせと、測定されたＬ＊ａ＊ｂ＊値とを基に、公知の手法（例えば、本出願人による特願２００２−０９０７０２記載の手法）を用いて参照テーブル３４を作成することができる。
【００４８】
なお、参照テーブル３４を生成するための測定は、測色計によって行うことが好ましい。何故なら、第１に、当該測定はカラープルーフの出力毎に行う必要がないため測定頻度が小さく、測色計が使用可能なときに適宜測定すればよいからである。第２には、測色計によって直接にＬ＊ａ＊ｂ＊値を求めれば、演算に伴う誤差を考慮する必要がなく、したがって色合わせ精度の向上を図ることができるからである。ただし、測色計によりＬ＊ａ＊ｂ＊値を直接求める代わりに、カラー濃度計７によって分光特性が異なる複数種類のＲＧＢ濃度およびビジュアル濃度を測定し、上述の工程と同様にＬ＊ａ＊ｂ＊値を求めるように構成してもよい。また、その他の適当な手法を用いてＬ＊ａ＊ｂ＊値を求めることもできる。
【００４９】
カラーチャンネルテーブル３６は、印刷機６の出力色に対するカラープルーフ出力装置４の出力色の対応関係を定義したテーブルで、例えば図５に示すような構成を有している。同図に示すカラーチャンネルテーブル３６には、印刷機６による出力色（ＣＭＹＫ１／２／３／４次色および白Ｗ）が縦方向に配置され、この各々の出力色を再現するためのカラープルーフ出力装置４の各基本色の出力強度が横方向にそれぞれ定義されている。なお、特色を更に刷り重ねた色に関しては、前述の場合と同様に図示を省略する。
【００５０】
なお、このようなカラーチャンネルテーブル３６は、例えば上記の特願２００２−０９０７０２に開示された手法を実現するカラーチャンネル生成部３５によって生成される。
【００５１】
出力処理部３７は、以上のように生成されたカラーチャンネルテーブル３６を印刷物の網点画像データとともに、またはそれとは別個に、カラープルーフ出力装置４に送信処理する。
【００５２】
（画像変換装置のハードウェア構成）
次に、以上のような機能的構成を有する画像変換装置３のハードウェア構成について、図３のブロック図を参照して説明する。
【００５３】
画像変換装置３は、所定のプログラムにしたがって演算処理や制御処理を実行するＣＰＵ３０１と、このＣＰＵ３０１によって実行されるプログラムや各種データ等を展開するメインメモリとしてのＲＡＭ３０２と、ＢＩＯＳ等のプログラムなどを保存するＲＯＭ３０３と、ＯＳ等の動作プログラムや各種データ、更にはアプリケーションソフトウェアなどを格納するハードディスクドライブ（ＨＤＤ）３０４と、情報記録媒体に記録されたデータを読み取り、またデータを書き込むための読取／書込装置３０５と、キーボードやマウス等の操作手段からの操作信号を入力処理する操作インターフェイス（操作ＩＦ）３０６と、各種データの入出力を司る入出力インターフェイス（入出力ＩＦ）３０７とを備えている。入出力ＩＦ３０７は、特に、カラー濃度計７による測定結果の入力処理を行う（図２を参照）。また、その他にも、モニタへ画像データを送出する表示用インターフェイスなどを備えている。
【００５４】
画像変換装置３は、ＲＯＭ３０３やＨＤＤ３０４に格納されたプログラムをＲＡＭ３０２にコピーし、ＣＰＵ３０１がＲＡＭ３０２にコピーされたプログラムを実行することによって本発明に係る機能を実現するようになっている。当該プログラムは、フロッピー（登録商標）ディスクやＣＤ−ＲＯＭ、ＤＶＤ−ＲＯＭ等の情報記録媒体にあらかじめ記録されており、これを読取／書込装置３０５を用いてインストールすることで、画像変換装置３上で動作されるようになっている。なお、インターネットやＬＡＮ等のネットワーク上のサーバ等からダウンロードして、このプログラムを使用するようにしてもよい。
【００５５】
ＣＰＵ３０１は、画像変換装置３の全体制御や各部の制御、更にはあらゆる演算処理を行う演算制御装置である。図２に示した色テーブル生成部３２は、このＣＰＵ３０１とＲＡＭ３０２に展開されるプログラムとから構成されている。より詳しくは、ＲＯＭ３０３またはＨＤＤ３０４には、上述の式１、式２に示す演算、および、ＸＹＺ→Ｌ＊ａ＊ｂ＊の変換式による演算を実行するためのプログラムが格納されており、ＣＰＵ３０１は、カラー濃度計７の測定結果の入力に対応して、このプログラムをＲＡＭ３０２上に展開させることによって、色テーブル３３に定義されるデータを演算する。更に、ＣＰＵ３０１は、この演算結果をＲＯＭ３０３またはＨＤＤ３０４の所定領域に所定のフォーマットで保存する。この保存されたデータが、図２に（模式的に）示した色テーブル３３である。また、ＣＰＵ３０１は、同様の処理を行うことでカラーチャンネル生成部３５として作用するようになっている。
【００５６】
ＨＤＤ３０４には、ＲＩＰ２からの網点画像データを一時的に格納して処理タイミングを調整するためのバッファとしての記憶領域が設定されている。
【００５７】
また、読取／書込装置３０５としては、フロッピー（登録商標）ディスクに対する読取／書込を行うためのフロッピー（登録商標）ディスクドライブ（ＦＤＤ）や、ＣＤ−ＲＯＭ（および／またはＤＶＤ−ＲＯＭ）に対する読取／書込を行うためのＣＤ（ＤＶＤ）−ＲＯＭドライブなどを用いることができる。
【００５８】
また、入出力ＩＦ３０７は、上述したカラー濃度計７の測定結果の入力処理に加えて、ＲＩＰ２からの網点画像データを入力する処理や、画像データおよびカラーチャンネルテーブル３６をカラープルーフ出力装置４に送信する処理を行うようになっている。なお、入出力ＩＦ３０７は、ＣＰＵ３０１の制御によって、図２に示した入力処理部３１および出力処理部３７として作用するようになっている。
【００５９】
ところで、カラー濃度計７による測定結果の入力方法には、例えば、次のような変形例が考えられる。まず、カラー濃度計７が画像変換装置３に直接接続されている場合（内蔵されている場合を含む）、その接続を通じて測定結果を送受することができる。一方、カラー濃度計７と画像変換装置３とが接続されていない場合、その測定結果を画像変換装置３のキーボード等を用いて手入力することができる。また、この場合には、測定結果をフロッピー（登録商標）ディスクやＣＤ−ＲＯＭ等の情報記録媒体に記憶させ、これを読取／書込装置３０５によって読み取ることで画像変換装置３に入力してもよい。
【００６０】
〔カラープルーフ出力装置の構成〕
次に、印刷物の校正物としてのカラープルーフを出力するカラープルーフ出力装置４について説明する。なお、このカラープルーフ出力装置４は公知の構成であるので簡単な説明にとどめる。
【００６１】
カラープルーフ出力装置４は、赤色（Ｒ）光により感光材料のマゼンタ発色層（Ｍ層）を感光させ、緑色（Ｇ）光により感光材料のシアン発色層（Ｃ層）を感光させ、青色（Ｂ）光により感光材料のイエロー発色層（Ｙ層）を感光させることによって露光処理を行った後、これに現像処理を施すことにより、基本色Ｃ、Ｍ、Ｙを表現してカラー画像を形成するようになっている。この赤色（Ｒ）光、緑色（Ｇ）光、青色（Ｂ）光による露光処理は、点順次で画素毎に行われる。なお、感光材料としては、銀塩感光材料等が用いられるのが一般的である。
【００６２】
カラープルーフ出力装置４は、画像変換装置３（の出力処理部３７）から送られる、基本色Ｃ、Ｍ、Ｙ、Ｋ（および特色）に分版された網点画像データと、カラーチャンネルテーブル３６とに基づいて、Ｃ、Ｍ、Ｙの出力強度を変化させながら露光処理を行うことで出力色を制御することにより、印刷機６によってＣ、Ｍ、Ｙ、Ｋ（、特色）の各インクからなる網点画像を刷り重ねて印刷される色を再現するようになっている。
【００６３】
［システムの動作・作用］
以下、上述のような構成を備えた画像出力システムにより実現される色調整方法について説明する。図６および図７は、本発明に係る色調整方法の一例を示すフローチャートである。なお、マトリクス変換部３２Ｂによるマトリクス変換に用いられる上述のマトリクスＭは、あらかじめ求められているものとする。
【００６４】
まず、カラープルーフ出力装置４で色票１００を出力し（Ｓ０１）、測色計によりこの色票１００を測定してＬ＊ａ＊ｂ＊値を求め（Ｓ０２）、参照テーブル３４を作成する（Ｓ０３）。なお、このプロセスは、カラープルーフの出力毎に行われる必要はなく、その出力前に適宜行われるものである。
【００６５】
次に、印刷機６で色票Ｆを出力し（Ｓ０４）、カラー濃度計７を用いてこの色票ＦのＳｔａｔｕｓ−ＴおよびＳｔａｔｕｓ−ＡのＲＧＢ濃度Ｄｒ、Ｄｇ、Ｄｂ、Ｄａｒ、Ｄａｇ、Ｄａｂを測定し（Ｓ０５；第１の測定段階）、更にビジュアル濃度Ｄｖを測定する（Ｓ０６；第２の測定段階）。この測定結果は、入力処理部３１を介して色テーブル生成部３２に送られる。なお、ＲＧＢ濃度およびビジュアル濃度の測定順は任意である。
【００６６】
続いて、色テーブル生成部３２の濃度→反射率変換部３２Ａにより、ＲＧＢ濃度Ｄｒ、Ｄｇ、Ｄｂ、Ｄａｒ、Ｄａｇ、Ｄａｂおよびビジュアル濃度Ｄｖが、反射率の値Ｒｒ、Ｒｇ、Ｒｂ、Ｒａｒ、Ｒａｇ、Ｒａｂ、Ｒｖに変換される（Ｓ０７）。更に、マトリクス変換部３２Ｂにより、反射率の値Ｒｒ、Ｒｇ、Ｒｂ、Ｒａｒ、Ｒａｇ、Ｒａｂ、Ｒｖが、ＸＹＺ表色系における値Ｘｄ、Ｙｄ、Ｚｄに変換される（Ｓ０８）。この変換には、あらかじめ取得されたマトリックスＭが用いられている。また更に、ＸＹＺ→Ｌ＊ａ＊ｂ＊変換部３２Ｃにより、ＸＹＺ表色系における値Ｘｄ、Ｙｄ、Ｚｄが、Ｌ＊ａ＊ｂ＊値に変換される（Ｓ０９）。以上の変換処理は、本発明にいう変換段階および第１の変換段階を構成している。テーブル生成部３２Ｄにより、このＬ＊ａ＊ｂ＊値がＲＯＭ３０３またはＨＤＤ３０４の所定領域に所定のフォーマットで保存されることで、色テーブル３３が作成される（Ｓ１０）。
【００６７】
次に、カラーチャンネル生成部３５は、作成された色テーブル３３および参照テーブル３４を基に、カラーチャンネルテーブル３６を作成する（Ｓ１１）。作成されたカラーチャンネルテーブル３６は、ＲＩＰ２から送られた網点画像データとともに出力処理部３７によってカラープルーフ出力装置４に出力される（Ｓ１２）。
【００６８】
カラープルーフ出力装置４は、画像変換装置３から送られた網点画像データおよびカラーチャンネルテーブル３６に基づいて出力処理を行う（Ｓ１３）。
【００６９】
次に、Ｓ０５およびＳ０６と同様に、カラー濃度計７を用いて、カラープルーフ出力装置４で出力された出力物のＳｔａｔｕｓ−ＴおよびＳｔａｔｕｓ−ＡのＲＧＢ濃度およびビジュアル濃度を測定する（Ｓ１４；第３、第４の測定段階）。更に、Ｓ０７、Ｓ０８およびＳ０９と同様に、色テーブル生成部３２により、測定された複数種類のＲＧＢ濃度およびビジュアル濃度を反射率に変換し、ＸＹＺ表色系における値に変換し、Ｌ＊ａ＊ｂ＊表色系における値に変換する（Ｓ１５；第２の変換段階）。そして、テーブル生成部３２Ｄによって、補正を加えられた新たなＬ＊ａ＊ｂ＊値が公知の方法（例えば、本出願人による特願２００２−０９０７０２に記載の手法）を用いて計算され、ＲＯＭ３０３またはＨＤＤ３０４の所定領域に保存され、Ｓ１０で作成された色テーブル３３が書き換え補正される（Ｓ１６）。
【００７０】
次に、カラーチャンネル生成部３５は、書き換え補正された色テーブル３３（および参照テーブル３４）を基に、新たなカラーチャンネルテーブル３６を作成する（Ｓ１７）。この新たなカラーチャンネルテーブル３６は、出力処理部３７によってカラープルーフ出力装置４に送信され（Ｓ１８）、カラープルーフ出力装置４によりカラープルーフ１００が出力される（Ｓ１９）。
【００７１】
以上のような色調整方法を実行することが可能な画像変換装置３を含んだシステムによれば、印刷機６による出力色の測定を安価なカラー濃度計７で行うことができるので、高価な測色計が使用できないような場合であっても、印刷物Ｆとそのカラープルーフ１００との色合わせ処理を行うことができるので、実用上便利である。同様に、カラープルーフ出力装置４による再調整のための出力（上記のＳ１３）による出力物（以下、単に出力物と称することがある）の測定についてもカラー濃度計７で行うため、実用上の利便性が向上される。なお、複数種類のＲＧＢ濃度を用いたことによる色の再現性については、後述の実施例で検証することとする。
【００７２】
なお、以上の実施形態では、カラープルーフ出力装置４および印刷機６の２つの画像出力装置間における色合わせが目的とされているが、色合わせを必要とする複数の任意の画像出力装置に対して本発明の色調整方法を適用できることは言うまでもない。この場合、本発明の色調整方法を実行するためのプログラムは、本実施形態のような画像変換装置や、また、画像出力装置が画像データ変換機能を有している場合には当該画像出力装置などにインストールされ、システムの制御を行う。
【００７３】
［実施例］
以下、上記実施形態として説明した色調整方法の色再現精度を検証するための一実施例について説明する。図８ないし図１２には、本実施例の測定結果が示されている。
【００７４】
まず、この図８ないし図１２について説明する。同図の最も左側の欄（第１欄と呼ぶこととする）には、多数の色（２０５色）の色票の測色計による測定値、つまりＬ＊ａ＊ｂ＊値が羅列されている。また、左から２番目の欄（第２欄と呼ぶこととする）には、印刷機で出力された色票をカラー濃度計で測定してＳｔａｔｕｓ−ＴのＲＧＢ濃度を求め、そのＲＧＢ濃度の値からＬ＊ａ＊ｂ＊値に変換した結果が上記２０５色について羅列されている。また、最も右側の欄（第３欄と呼ぶこととする）には、印刷機で出力された色票をカラー濃度計で測定してＳｔａｔｕｓ−ＴのＲＧＢ濃度およびビジュアル濃度に加えてＳｔａｔｕｓ−ＡのＲＧＢ濃度を求め、両方のＲＧＢ濃度およびビジュアル濃度の値からＬ＊ａ＊ｂ＊値に変換した結果が上記２０５色について羅列されている。
【００７５】
即ち、第１欄には、印刷物で出力された色票を測色計で測定した目標となるＬ＊ａ＊ｂ＊値が羅列されており、また、第２欄には、カラー濃度計で測定されたＲＧＢ濃度のみからＬ＊ａ＊ｂ＊値に変換した結果が羅列されており、また、第３欄には、本発明の場合におけるカラー濃度計で測定されたＳｔａｔｕｓ−ＴとＳｔａｔｕｓ−ＡのＲＧＢ濃度とビジュアル濃度とからＬ＊ａ＊ｂ＊値に変換した結果が羅列されている。
【００７６】
また、第２欄および第３欄には、変換された結果の目標値に対する色差ΔＥが各色毎に示されている。更に、図１２の最後には、２０５色の色差ΔＥの平均値（平均色差）および最大値（最大色差）が示されている。
【００７７】
これらの図から分かるように、第２の欄に示す従来の場合では平均色差が３．８４であるのに対して、第３欄に示す本発明の方法を採用した場合には、平均色差は０．５５と非常に小さな値となっている。一方、最大色差についても、第２欄に示す場合では１７．８８となっている一方で、第３欄に示す本発明の場合では３．７６となり、あらゆる種類の色に亘って向上されていることが分かる。この方法により求めたＬ＊ａ＊ｂ＊値でカラープルーフ出力装置の色調整を行うことにより、測色計を使用した場合に近い出力結果を得ることが可能になる。
【００７８】
このように、本発明の色調整方法によれば、測色計の代わりにカラー濃度計を用いて測定を行った場合でも色の再現精度を大きく向上させることができる。
【００７９】
次に、本実施例でマトリクス変換に用いたマトリクスＭの結果について説明する。
【００８０】
第１欄に示す目標色の色票のＬ＊ａ＊ｂ＊値に加え、各色票の濃度を実測する。そして、その実測値から最小二乗法を用いてマトリクスＭを形成すると、ＸＹＺ表色系における値Ｘｄ、Ｙｄ、Ｚｄは次式のように表現される。
【００８１】
【式３】
2004357088.tif 000004
【００８２】
なお、Ｘｄ、Ｙｄ、Ｚｄがそれぞれ０より小さい場合には、その値を０とすることとする。また、Ｘｄ、Ｙｄ、Ｚｄがそれぞれ１より大きい場合には、その値を１とすることとする。
【００８３】
このような各係数を有するマトリクスＭによってＸｄ、Ｙｄ、ＺｄをＬ＊ａ＊ｂ＊値に変換する場合、次の式４に示す場合分けに基づいてＸ２、Ｙ２、Ｚ２をそれぞれ求め、式５に示す各式に代入することによりＬ＊、ａ＊、ｂ＊の算出を行う。
【００８４】
【式４】
2004357088.tif 000005
【００８５】
【式５】
Ｌ＊＝Ｙ２×１１６−１６
ａ＊＝５００×（Ｘ２−Ｙ２）
ｂ＊＝２００×（Ｙ２−Ｚ２）
【００８６】
なお、ビジュアル濃度を用いずにＲＧＢ濃度のみを用いた場合のマトリクス変換のマトリクス、即ち、図８ないし図１２の第２欄に列挙されたデータを取得するために用いたマトリクス変換のマトリクスは、次式に示すような係数を有している。
【００８７】
【式６】
2004357088.tif 000006
【００８８】
以上で説明した構成は、本発明を実施するための一形態例に過ぎないものであって、本発明の範囲内における各種の変更や変形、追加等を適宜施すことができる。
【００８９】
【発明の効果】
請求項１記載の色調整方法によれば、高価な測色計を用いる代わりに、比較的安価な濃度計を用いて画像出力装置間の色調整を行うことができるので、実用上便利であるとともに、コストの低減を図ることができる。更に、複数の画像出力装置間の色調整を高い精度で行うことができる。
【００９０】
請求項２記載の色調整方法によれば、複数の画像出力装置間の色調整の精度を更に向上させることができる。
【００９１】
請求項３記載の色調整方法によれば、一般的なＳｔａｔｕｓ−ＴやＳｔａｔｕｓ−ＡのＲＧＢ濃度を用いて色調整を行うことができるので、実用上便利である。
【００９２】
請求項４記載の色調整方法によれば、ＸＹＺ表色系を用いた色調整を好適に行うことができる。
【００９３】
請求項５記載の色調整方法によれば、Ｌ＊ａ＊ｂ＊表色系を用いた色調整を好適に行うことができる。
【００９４】
請求項６記載の色調整方法によれば、高価な測色計を用いる代わりに、比較的安価な濃度計を用いてカラープルーフの色調整を行うことができるので、実用上便利であるとともに、コストの低減を図ることができる。また、カラープルーフの色調整を高い精度で行うことができる。
【００９５】
請求項７記載の色調整方法によれば、カラープルーフの色調整の精度を更に向上させることができる。
【００９６】
請求項８記載の色調整方法によれば、再調整のための出力物の測定を濃度計を用いて行うことができるので、実用上の利便性を更に向上させることが可能となる。
【図面の簡単な説明】
【図１】本発明に係る色調整方法を実行するための画像出力システムの全体構成の一例を示すブロック図である。
【図２】本発明に係る色調整方法を実行するための画像出力システムの機能的構成の一例を示す機能ブロック図である。
【図３】本発明に係る色調整方法を実行するための画像出力システムのハードウェア構成の一例を示すブロック図である。
【図４】本発明に係る色調整方法を実行するための画像出力システムにより作成される色テーブル（第２の参照テーブル）の構成の一例を示す模式図である。
【図５】本発明に係る色調整方法を実行するための画像出力システムにより作成されるカラーチャンネルテーブルの構成の一例を示す模式図である。
【図６】本発明に係る色調整方法を実行するための画像出力システムの動作の一例を示すフローチャートである。
【図７】本発明に係る色調整方法を実行するための画像出力システムの動作の一例を示すフローチャートである。
【図８】本発明に係る色調整方法の一実施例を説明するためのデータを示す図である。
【図９】本発明に係る色調整方法の一実施例を説明するためのデータを示す図である。
【図１０】本発明に係る色調整方法の一実施例を説明するためのデータを示す図である。
【図１１】本発明に係る色調整方法の一実施例を説明するためのデータを示す図である。
【図１２】本発明に係る色調整方法の一実施例を説明するためのデータを示す図である。
【符号の説明】
３  画像変換装置
３１  入力処理部
３２  色テーブル生成部
３２Ａ  濃度→反射率変換部
３２Ｂ  マトリクス変換部
３２Ｃ  ＸＹＺ→Ｌ＊ａ＊ｂ＊変換部
３２Ｄ  テーブル生成部
３３  色テーブル（第２の参照テーブル）
３４  参照テーブル（第１の参照テーブル）
３５  カラーチャンネル生成部
３６  カラーチャンネルテーブル
３７  出力処理部
４  カラープルーフ出力装置４
６  印刷機
７  カラー濃度計
【図１】
2004357088.tif 000007
【図２】
2004357088.tif 000008
【図３】
2004357088.tif 000009
【図４】
2004357088.tif 000010
【図５】
2004357088.tif 000011
【図６】
2004357088.tif 000012
【図７】
2004357088.tif 000013
【図８】
2004357088.tif 000014
【図９】
2004357088.tif 000015
【図１０】
2004357088.tif 000016
【図１１】
2004357088.tif 000017
【図１２】
2004357088.tif 000018
【手続補正書】
【提出日】平成15年11月13日(2003.11.13)
【手続補正１】
【補正対象書類名】明細書
【補正対象項目名】００４７
【補正方法】変更
【補正の内容】
【００４７】
参照テーブル３４は、次のようにして作成される。まず、カラープルーフ出力装置４の基本色の出力強度を最小値０から最大値までの間で等分割するとともに、Ｃ、Ｍ、Ｙそれぞれの出力強度を組み合わせたときのカラー画像が複数配置された色票を出力する。そして、その複数のカラー画像のＬ＊ａ＊ｂ＊値を図示しない測色計で測定する。更に、上記Ｃ、Ｍ、Ｙそれぞれの出力強度の組み合わせと、測定されたＬ＊ａ＊ｂ＊値とを基に、公知の手法（例えば、本出願人による特願２００３−０６４６２９記載の手法）を用いて参照テーブル３４を作成することができる。


【手続補正２】
【補正対象書類名】明細書
【補正対象項目名】００５０
【補正方法】変更
【補正の内容】
【００５０】
なお、このようなカラーチャンネルテーブル３６は、例えば上記の特願２００３−０６４６２９に開示された手法を実現するカラーチャンネル生成部３５によって生成される。


【手続補正３】
【補正対象書類名】明細書
【補正対象項目名】００６９
【補正方法】変更
【補正の内容】
【００６９】
次に、Ｓ０５およびＳ０６と同様に、カラー濃度計７を用いて、カラープルーフ出力装置４で出力された出力物のＳｔａｔｕｓ−ＴおよびＳｔａｔｕｓ−ＡのＲＧＢ濃度およびビジュアル濃度を測定する（Ｓ１４；第３、第４の測定段階）。更に、Ｓ０７、Ｓ０８およびＳ０９と同様に、色テーブル生成部３２により、測定された複数種類のＲＧＢ濃度およびビジュアル濃度を反射率に変換し、ＸＹＺ表色系における値に変換し、Ｌ＊ａ＊ｂ＊表色系における値に変換する（Ｓ１５；第２の変換段階）。そして、テーブル生成部３２Ｄによって、補正を加えられた新たなＬ＊ａ＊ｂ＊値が公知の方法（例えば、本出願人による特願２００３−０６４６２９に記載の手法）を用いて計算され、ＲＯＭ３０３またはＨＤＤ３０４の所定領域に保存され、Ｓ１０で作成された色テーブル３３が書き換え補正される（Ｓ１６）。


【手続補正４】
【補正対象書類名】図面
【補正対象項目名】図４
【補正方法】変更
【補正の内容】
【図４】
2004357088.tif 000019
【手続補正５】
【補正対象書類名】図面
【補正対象項目名】図５
【補正方法】変更
【補正の内容】
【図５】
2004357088.tif 000020